Podtech/llm-jp-corpus-v4-ja_patent huggingface dataset:
【手続補正書】
【提出日】平成24年3月28日(2012.3.28)
【手続補正１】
【補正対象書類名】特許請求の範囲
【補正対象項目名】全文
【補正方法】変更
【補正の内容】
【特許請求の範囲】
【請求項１】
チューブ片（２）から袋を形成する装置（１）であって、前記チューブ片（２）が伸張されたプラスチック小バンドからなる織物を有し、かつ重なり合った２つの帯状材料からなり、その場合に少なくとも以下の装置：
・移送装置であって、前記移送装置によって、前記チューブ片（２）が、その延び方向（ｚ）に対して横方向に延びる移送方向（ｘ）に、水平の位置で移送可能な、前記移送装置；
・底開放ステーション（３）であって、前記底開放ステーション（３）によって、前記チューブ片（２）の少なくとも１つの端部（５）において、開放された底正方形（５）が形成可能である、前記底開放ステーション；
・塞ぎステーション（７）であって、前記塞ぎステーション（７）によって、前記底開放ステーション（３）において開放された前記底（４）が、折り畳み可能である、前記塞ぎステーション；
・底カバーシートステーション（８）であって、前記底カバーシートステーション（８）によって、袋底を閉鎖するために底カバーシートが取付け可能である、前記底カバーシートステーション：
が設けられている、前記袋を形成する装置において、
操作側（ＢＳ）の少なくとも１つの加工ステーション（３、６、７、８）が、駆動側（ＡＳ）の同種の作業ステーション（３’、６’、７’、８’）に対して、少なくとも部分的に変位して配置され、２つの加工ステーションの各々によって、前記チューブ片（２）のそれぞれの端部において、加工ステップが実施可能であることを特徴とする袋を形成する装置。
【請求項２】
前記操作側（ＢＳ）と前記駆動側（ＡＳ）の前記底開放ステーション（８、８’）のみが、互いに対して少なくとも部分的に変位して配置されていることを特徴とする請求項１に記載の装置（１）。
【請求項３】
前記操作側（ＢＳ）のバルブスリップステーション（９）が、前記駆動側（ＡＳ）の前記底開放ステーション（８’）に対向して配置されていることを特徴とする前記請求項のいずれか１項に記載の装置（１）。
【請求項４】
前記操作側（ＢＳ）の前記加工ステーション（３、６、７、８）と前記駆動側（ＡＳ）の前記同種の加工ステーション（３’、６’、７’、８’）が、互いに対して完全に変位して配置されていること（ファスナー形状）を特徴とする前記請求項のいずれか１項に記載の装置（１）。
【請求項５】
まず、前記加工ステーション（３、６、７、８）が、互いに連続して前記操作側（ＢＳ）に配置され、前記同種の加工ステーション（３’、６’、７’、８’）が完全に変位して前記駆動側（ＡＳ）に配置されていることを特徴とする前記請求項のいずれか１項に記載の装置（１）。
【請求項６】
まず、前記加工ステーション（３’、６’、７’、８’）が、互いに連続して前記駆動側（ＡＳ）に配置されて、前記同種の加工ステーション（３、６、７、８）が完全に変位して前記操作側（ＢＳ）に配置されていることを特徴とする前記請求項のいずれか１項に記載の装置（１）。
【請求項７】
前記チューブ片（２）を前記移送方向（ｘ）に移送可能な、少なくとも１つの第１の移送装置が、前記操作側（ＢＳ）に設けられており、第２の移送装置が、前記第１の移送装置と部分的にのみ重なり合うように、前記駆動側（ＡＳ）に設けられていることを特徴とする前記請求項のいずれか１項に記載の装置（１）。
【請求項８】
前記チューブ片（２）を前記移送方向（ｘ）に移送可能な、少なくとも１つの第１の移送装置が、前記操作側（ＢＳ）に設けられており、第２の移送装置が、前記第１の移送装置と重なり合わないように、前記駆動側（ＡＳ）に設けられていることを特徴とする前記請求項のいずれか１項に記載の装置（１）。
【請求項９】
チューブ片（２）から袋を形成する方法であって、前記チューブ片（２）が、伸張されたプラスチック小バンドからなる織物を有し、かつ２つの重なり合った帯状材料からなり、その場合に以下の装置：
・少なくとも１つの移送装置であって、前記移送装置によって前記チューブ片（２）が、その延び方向（ｚ）に対して横方向に延びる移送方向（ｘ）に、水平の位置で移送される、前記少なくとも１つの移送装置；
・少なくとも１つの底開放ステーション（３）であって、前記底開放ステーション（３）によって、チューブ片（２）の少なくとも１つの端部（５）に、開放された底正方形（５）が形成される、前記少なくとも１つの底開放ステーション；
・少なくとも１つのバルブスリップステーション（６）であって、前記バルブスリップステーション（６）によって、バルブスリップが前記底正方形上に取り付けられる、前記少なくとも１つのバルブスリップステーション；
・少なくとも１つの塞ぎステーション（７）であって、前記塞ぎステーション（７）によって、前記底開放ステーション（３）において開放された底（４）が折り畳まれる、前記少なくとも１つの塞ぎステーション；
・少なくとも１つの底カバーシートステーション（８）であって、前記底カバーシートステーション（８）によって、袋底を閉鎖するために底カバーシートが取り付けられる、前記底カバーシートステーション；
が設けられている、前記袋を形成する方法において、
前記操作側（ＢＳ）の少なくとも１つの加工ステーション（３、６、７、８）が、前記駆動側（ＡＳ）の同種の加工ステーション（３’、６’、７’、８’）に対して、少なくとも部分的に変位して配置され、２つの加工ステーションの各々によって、チューブ片（２）のそれぞれの端部において、同一の加工ステップが実施されることを特徴とする袋を形成する方法。
【請求項１０】
前記チューブ片（２）が、まず前記操作側（ＢＳ）において、そして次に前記駆動側（ＡＳ）側において、移送されることを特徴とする前記請求項に記載の方法。
【請求項１１】
前記チューブ片が、まず前記駆動側（ＡＳ）において、そして次に前記操作側（ＢＳ）において、移送されることを特徴とする前記請求項のいずれか１項に記載の方法。
【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
金属部材と樹脂部材とを有する合成部材を製造する方法であって、
ａ）（ｉ）樹脂融点および／またはガラス転移および凝固点を有する熱可塑性樹脂と、（ｉｉ）約１３０℃〜４００℃の１つ以上の金属融点を有する複数の金属粒子とを含んでなる樹脂組成物を提供する工程と；
ｂ）それぞれ少なくとも１つの露出表面を有する１つ以上の金属部材を、少なくとも１つの型穴露出表面を任意選択的に有する型穴に配置する工程と；
ｃ）１つ以上の金属部材を、複数の金属粒子の少なくとも１つの融点以上の温度まで加熱して、１つ以上の加熱された金属部材を提供する工程と；
ｄ）樹脂組成物を、樹脂融点より高く、かつ１つ以上の金属融点より高い温度まで加熱して、加熱された樹脂を提供する工程と；
ｅ）加熱された樹脂を型に注入し、それぞれの加熱された金属部材の露出表面を接触させ、加熱された合成部材を提供する工程と；
ｆ）前記加熱された合成部材を樹脂凝固点を下回るまで冷却する工程と
を含んでなる方法。
【請求項２】
請求項１に記載の方法によって製造された合成部材。
【手続補正２】
【補正対象書類名】明細書
【補正対象項目名】００４０
【補正方法】変更
【補正の内容】
【００４０】
上記で示されるように、本発明の方法は高い強度の金属／樹脂合成部材を提供する。樹脂組成物が１３０〜４００℃の範囲の融点を有する金属粒子を含まなかった場合（比較例１）、または型温度が金属粒子の融点より低かった場合（比較例２）、十分な強度は得られなかった。
なお、本発明は、特許請求の範囲を含め、以下の発明を包含する。
１．金属部材と樹脂部材とを有する合成部材を製造する方法であって、
ａ）（ｉ）樹脂融点および／またはガラス転移および凝固点を有する熱可塑性樹脂と、（ｉｉ）約１３０℃〜４００℃の１つ以上の金属融点を有する複数の金属粒子とを含んでなる樹脂組成物を提供する工程と；
ｂ）それぞれ少なくとも１つの露出表面を有する１つ以上の金属部材を、少なくとも１つの型穴露出表面を任意選択的に有する型穴に配置する工程と；
ｃ）１つ以上の金属部材を、複数の金属粒子の少なくとも１つの融点以上の温度まで加熱して、１つ以上の加熱された金属部材を提供する工程と；
ｄ）樹脂組成物を、樹脂融点より高く、かつ１つ以上の金属融点より高い温度まで加熱して、加熱された樹脂を提供する工程と；
ｅ）加熱された樹脂を型に注入し、それぞれの加熱された金属部材の露出表面を接触させ、加熱された合成部材を提供する工程と；
ｆ）前記加熱された合成部材を樹脂凝固点を下回るまで冷却する工程と
を含んでなる方法。
２．金属部材を加熱する工程が、誘導加熱によって型の中で実行される１に記載の方法。
３．金属粒子がＳｎ合金またはＬｉ合金である１に記載の方法。
４．金属粒子が、Ｓｎ−Ｃｕ合金、Ｓｎ−Ｓｂ合金、Ｓｎ−Ａｌ合金、Ｓｎ−Ｚｎ合金、Ｓｎ−Ｐｔ合金、Ｓｎ−Ｍｎ合金、Ｓｎ−Ａｇ合金、Ｓｎ−Ａｇ−Ｃｕ合金、Ｓｎ−Ａｇ−Ｃｕ−Ｂｉ合金、Ｓｎ−Ａｇ−Ｃｕ−Ｓｂ合金、Ｓｎ−Ａｕ合金、Ａｌ−Ｌｉ合金およびＺｎ−Ｌｉ合金からなる群から選択される１に記載の方法。
５．少なくとも１つの型穴露出表面の一部または全部が、金属粒子との接着力を抑制するように処理される１に記載の方法。
６．１に記載の方法によって製造された合成部材。
７．電子部品である７に記載の合成部材。
８．発光ダイオードをさらに含んでなる８に記載の電子部品。
９．自動車部品である７に記載の合成部材。
【手続補正書】
【提出日】平成24年3月27日(2012.3.27)
【手続補正１】
【補正対象書類名】明細書
【補正対象項目名】０００５
【補正方法】変更
【補正の内容】
【０００５】
本発明の目的は、（１）トリクロロシランの生成、
（２）副生成物として四塩化ケイ素を含有するモノシラン含有反応混合物を与えるために区分（１）で生成されたトリクロロシランの不均化によるモノシランの生成、および
（３）こうして生成されたモノシランのシリコンおよび水素への熱的変換
の区分を有する高純度シリコンの製造方法であって、
区分（１）でトリクロロシランを生成させるためにシリコンが少なくとも１つの塩化水素処理工程において塩化水素と反応され且つ、それに並行して、区分（２）で副生成物として得られた四塩化ケイ素が、いずれの場合にもトリクロロシラン含有反応混合物を与えるために少なくとも１つの変換工程においてシリコンおよび水素と反応されることを特徴とする、前記方法、および
トリクロロシランを生成するための生成装置（１）、装置（１）において生成されたトリクロロシランの不均化によりモノシランを生成するためのさらなる装置（２）および生成されたモノシランのシリコンおよび水素への熱的分解のための装置（３）を有する高純度シリコンの製造設備であって、装置（１）が、
・トリクロロシラン含有反応混合物を与えるためにシリコンが塩化水素と反応し得る少なくとも１つの塩化水素処理反応器、
・トリクロロシラン含有反応混合物を与えるために四塩化ケイ素がシリコンおよび水素と反応し得る少なくとも１つの変換反応器、
・生成されたトリクロロシラン含有反応混合物が混合され且つ貯蔵され得る少なくとも１つの回収容器および
・好適には少なくとも１つの回収容器の下流に存在し且つトリクロロシラン含有反応混合物が少なくとも部分的にその成分に分離され得る少なくとも１つの分離装置
を有し、装置（２）が、
・装置（１）からのトリクロロシランが触媒条件下に四塩化ケイ素およびモノシラン含有反応混合物に変換され得る少なくとも１つの不均化反応器および
・クロロシランがモノシラン含有反応混合物から分離され得る少なくとも１つの分離装置
を有し、装置（３）が、
・装置（１）からのモノシランが８００℃〜１４５０℃（表面温度）に加熱された少なくとも１つの支持材と接触し得る少なくとも１つの分解反応器
を有し、且つ装置（２）が、装置（２）において得られた四塩化ケイ素が装置（１）における少なくとも１つの変換反応器に供給され得る少なくとも１つの戻り配管を通って装置（１）に接続されている、前記の方法により高純度シリコンを製造するための、前記設備によって達成される。
本発明の方法の好適な態様は請求項２〜２８に見出し得る。本発明の設備の好適な態様は請求項３０〜３６において規定されている。全ての請求項の表現は参照によって本明細書の記述に組み込まれる。
【手続補正書】
【提出日】平成24年3月19日(2012.3.19)
【手続補正１】
【補正対象書類名】特許請求の範囲
【補正対象項目名】全文
【補正方法】変更
【補正の内容】
【特許請求の範囲】
【請求項１】
車両用の複合サスペンションシステムであって、
車両のボディを車軸に連結する機械サスペンションシステムと、
膨張状態と非膨張状態の間で移動可能な空気サスペンションシステムとを備え、
空気サスペンションシステムは、ボディと車軸の間に延び、且つ膨張状態においてボディに対して車軸を支持し、非膨張状態のときに、ボディに対して車軸を支持せず、ボディ及び車軸の一方から切り離される、複合サスペンションシステム。
【請求項２】
空気サスペンションシステムは、空気バネサスペンションで構成される、請求項１に記載の複合サスペンションシステム。
【請求項３】
機械サスペンションシステムは、板バネサスペンション、コイルバネサスペンション、又はショックアブゾーバで構成される、請求項１に記載の複合サスペンションシステム。
【請求項４】
空気サスペンションシステムは、ボディに支持され、又は車軸に隣接して支持される、請求項１に記載の複合サスペンションシステム。
【請求項５】
車軸に隣接し、且つボディが機械サスペンションシステムに取り付けられたときに、所定距離だけ離れてボディの下に取り付けられた支持ブラケットを備える、請求項１に記載の複合サスペンションシステム。
【請求項６】
支持ブラケットの上側又はボディの下側の何れかに、膨張したときに空気サスペンションシステムを受け入れる支持リングを備える、請求項５に記載の複合サスペンションシステム。
【請求項７】
空気サスペンションシステムを膨張させ又は非膨張状態にするためのコントロールシステムをさらに備える、請求項１に記載の複合サスペンションシステム。
【請求項８】
コントロールシステムは、空気サスペンションシステムに取り付けられた空気管と、空気管を空気コンプレッサに連結する第１ホースと、空気管を真空源又は負圧源に連結し、これらの間にバルブを有する第２ホースとを備える、請求項７に記載の複合サスペンションシステム。
【請求項９】
コンプレッサ及びバルブを制御するためのコントロールパネルをさらに備える、請求項８に記載の複合サスペンションシステム。
【請求項１０】
空気サスペンションシステムは、空気コンプレッサを起動し、バルブを閉じることによって膨張し、空気コンプレッサを切り、バルブを開けることによって非膨張状態になる、請求項８に記載の複合サスペンションシステム。
【請求項１１】
真空源又は負圧源は、車両エンジンの真空源で構成される、請求項８に記載の複合サスペンションシステム。
【手続補正書】
【提出日】平成24年4月17日(2012.4.17)
【手続補正１】
【補正対象書類名】特許請求の範囲
【補正対象項目名】全文
【補正方法】変更
【補正の内容】
【特許請求の範囲】
【請求項１】
金型の中に所定のガラス転移温度を有するバインダーを含むセラミックスラリーを射出成形し、除去されるべきバリ（Ｂ）を形成する余剰材料のある少なくとも１つの表面部分を有することによって得られる、タービンエンジンブレード用のセラミック鋳物中子（１０）をバリ取りする方法であって、
ａ．支持体（３００）の上に未焼成の流し込み鋳物中子を配置し、取り付けるステップと、
ｂ．工具ホルダにねじれ切刃を有する細長形状のフライス工具（１００）を配置するステップと、
ｃ．フライス工具をその軸の周りに回転させ、フライス工具をバリ取りされるべき前記表面部分に接触させるステップと、
ｄ．バリ取り作業中に前記ガラス転移温度よりも低い温度に鋳物中子を保つように、バリ取りされるべき表面部分を冷却するステップとを含むことを特徴とする、方法。
【請求項２】
２０°と７０°との間のねじれ角および半球状の先端を有するフライス工具（１００）が使用される、請求項１に記載の方法。
【請求項３】
切削パラメータが、５ｍ／ｍｉｎと３０ｍ／ｍｉｎとの間の切削速度、３００ｍｍ／ｍｉｎと２０００ｍｍ／ｍｉｎとの間の工具送り速度、および２０００ｒｅｖ／ｍｉｎと１５０００ｒｅｖ／ｍｉｎとの間の工具回転速度である、請求項２に記載の方法。
【請求項４】
冷却が、バリ取りされるべき表面部分に向かって流体を拡散させること（４００）によって行われる、請求項１から３のいずれか一項に記載の方法。
【請求項５】
冷却流体が空気である、請求項４に記載の方法。
【請求項６】
未焼成の鋳物中子用の支持体、その軸の周りに回転可能である工具保持用チャック、および冷却流体噴射ノズルを備える、請求項１に記載の方法を実施するための、金型部品であるセラミック中子を仕上げするための装置の使用。
【手続補正書】
【提出日】平成24年2月23日(2012.2.23)
【手続補正１】
【補正対象書類名】特許請求の範囲
【補正対象項目名】全文
【補正方法】変更
【補正の内容】
【特許請求の範囲】
【請求項１】
可撓性のプラスチックの管状体を作るためにストリップを溶接する方法であって、
ストリップ（１）を溶接ロッドの周りに形成し；
前記ストリップの端部（３，４）を、互いに接触せしめ；そして
溶接区域（５）を、前記端部（３，４）を加熱し、一緒に圧迫し、冷却することにより形成する、各ステップを含み、
前記溶接区域（５）を引き延ばすことにより前記管状体の最初の真円度の向上をおこない、
前記溶接区域（５）の外側のストリップ（１）を加熱することにより前記管状体の次なる真円度の向上をおこなう
ことを特徴とする方法。
【請求項２】
前記溶接区域の形成前に、前記ストリップは溶接区域の外側においても加熱される、ことを特徴とする請求項１に記載の方法。
【請求項３】
前記溶接区域の形成中に、前記ストリップは溶接区域の外側においても加熱される、ことを特徴とする請求項１に記載の方法。
【請求項４】
前記溶接区域の形成後に、前記ストリップは溶接区域の外側においても加熱される、ことを特徴とする請求項１に記載の方法。
【請求項５】
前記端部は突き合わせるように接触せしめられる、ことを特徴とする請求項１から４の１つに記載の方法。
【請求項６】
前記端部は重なり合うようにして接触せしめられる、ことを特徴とする請求項１から４の１つに記載の方法。
【請求項７】
前記ストリップは前記溶接区域の外側において、少なくとも６０℃まで加熱される、ことを特徴とする請求項１から６の１つに記載の方法。
【請求項８】
前記ストリップは前記溶接区域の外側において、その全幅にわたって加熱される、ことを特徴とする請求項１から７の１つに記載の方法。
【請求項９】
前記ストリップは、その全幅にわたって一定温度まで加熱される、ことを特徴とする請求項８に記載の方法。
【請求項１０】
前記ストリップは、その全幅にわたって加熱されない、ことを特徴とする請求項１から７の１つに記載の方法。
【請求項１１】
前記ストリップは、その幅に沿って加熱温度を変化させることにより、ストリップの外側で加熱される、ことを特徴とする請求項１から１０の１つに記載の方法。
【請求項１２】
前記ストリップは、溶接区域の加熱温度に同等の温度まで前記溶接区域に接近して加熱される、ことを特徴とする請求項１１に記載の方法。
【請求項１３】
前記溶接部近傍の加熱は、前記ストリップの幅の１／２に実質上等しい長さにわたって実行される、ことを特徴とする請求項１２に記載の方法。
【請求項１４】
前記ストリップは、溶接区域の加熱温度以上の温度まで前記溶接区域に接近して加熱される、ことを特徴とする請求項１１に記載の方法。
【請求項１５】
前記ストリップは、熱風を用いてストリップの外側において加熱される、ことを特徴とする請求項１から１４の１つに記載の方法。
【手続補正書】
【提出日】平成24年3月23日(2012.3.23)
【手続補正１】
【補正対象書類名】特許請求の範囲
【補正対象項目名】全文
【補正方法】変更
【補正の内容】
【特許請求の範囲】
【請求項１】
一次ガイドレール及び二次ガイド面沿いに動くキャリッジを支持する、キャリッジ支持部材であって、
第１接触部及びそこから離れた位置にある第２接触部を有するとともに、二次ガイド面に接触した状態で第１及び第２接触部が二次ガイド面沿いに摺動する、バー状構造物と、
第１接触部と第２接触部の間に位置する可枢動なキャリッジ取付部と、
を備える、キャリッジ支持部材。
【請求項２】
一次ガイドレールと、
二次ガイド面と、
第１及び第２接触部を有するバー状構造物と、
第１接触部と第２接触部の間に位置するようバー状構造物上に設けられた可枢動なキャリッジ取付部と、
を備え、キャリッジ取付部が本装置用のキャリッジを支持するとともに、二次ガイド面に接触した状態で第１及び第２接触部が二次ガイド面沿いに摺動する、イメージング装置。
【請求項３】
一次ガイドと、
一次ガイドに沿い前進又は後退方向に動くプリントヘッドキャリッジと、
平坦面からの逸脱を伴いながらもガイド面を提供して一次ガイドに対するプリントヘッドキャリッジの回転を妨げる抗回転ガイドと、
抗回転ガイドのガイド面に対し実質的に平行な接触部がプリントヘッドキャリッジ移動方向に沿い互いに離れた２個所で生じるようプリントヘッドキャリッジと抗回転ガイドの間に設けられた可枢動支持部材と、
を備え、抗回転ガイドにおける欠陥に起因する印刷品質損逸を補償する装置。
【請求項４】
一次ガイドを準備するステップと、
一次ガイド沿いに動かせるようプリントヘッドキャリッジを準備するステップと、
平坦面からの逸脱を伴いながらもガイド面を提供して一次ガイドに対するプリントヘッドキャリッジの回転を妨げる抗回転ガイドを準備するステップと、
抗回転ガイドのガイド面に対し実質的に平行な接触部がプリントヘッドキャリッジ移動方向に沿い互いに離れた２個所で生じるようプリントヘッドキャリッジと抗回転ガイドの間に可枢動支持部材を配するステップと、
一次ガイドに沿い前進又は後退するようプリントヘッドキャリッジを動かすステップと、
を有し、抗回転ガイドにおける欠陥に起因する印刷品質損逸を補償する方法。
【手続補正書】
【提出日】平成24年3月9日(2012.3.9)
【手続補正１】
【補正対象書類名】明細書
【補正対象項目名】００２８
【補正方法】変更
【補正の内容】
【００２８】
本明細書では、本発明の特定の実施形態は、説明を目的として記載されており、他の実施形態において種々の修正が可能である。例えば、ウィングレットは、図面に具体的に特定されたものとは異なる傾斜角、異なる翼幅方向及び／又は翼弦方向の範囲、及び／又は異なる構成を有することができる。このような構成には、翼の上方及び下方に延びるウィングレット、及び／又はらせん状のウィングレット、及び／又は翼端機構が含まれる。陥没領域も、特定の設備に応じて、異なる位置及び／又は範囲を有することができる。特定の実施形態として記載した本発明の特定の態様は、他の実施形態と組み合わせることも、他の実施形態では排除することもできる。更に、特定の実施形態に関連する利点について、そのような実施形態に照らして説明したが、他の実施形態もそのような利点を呈することが可能であり、全ての実施形態が、本発明の範囲に含まれるために必ずしもそのような利点を呈さなければならないというわけでもない。したがって、本発明は、上述で具体的に記載されなかった又は示されなかった他の実施形態を含みうる。
また、本願は以下に記載する態様を含む。
（態様１）
胴体寄りの部分と外側寄りの部分とを有する翼、及び
翼の外側寄りの部分に連結されたウィングレットであって、少なくとも部分的に胴体の方に向く第１表面と、少なくとも部分的に外側に向く第２表面とを有し、第１表面が陥没領域を含んでいるウィングレット
を備える航空機システム。
（態様２）
陥没領域が第１表面の隣接領域からへこんでおり、隣接領域が、弦方向には陥没領域の両側に位置する領域を含み、幅方向には翼とは反対側に位置する領域を含む、態様１に記載のシステム。
（態様３）
ウィングレットが前縁及び後縁を有しており、ウィングレットの第１表面が、前縁近傍と後縁近傍では凸形であり、前縁と後縁の間では凹形である、態様１に記載のシステム。
（態様４）
陥没領域が、弦方向に沿って最前点と最後点とを有し、幅方向に沿って、翼に最も近い近位点と、翼から最も遠い遠位点とを有している、態様１に記載のシステム。
（態様５）
最前点が、最前点と交差するウィングレットの弦長の約２０％〜約４０％に位置している、態様４に記載のシステム。
（態様６）
最後点が、最後点と交差するウィングレットの弦長の約４５％〜約６５％に位置している、態様４に記載のシステム。
（態様７）
遠位点が、ウィングレットの幅長の約２０％〜約４０％に位置している、態様４に記載のシステム。
（態様８）
航空機システムの抗力を低減する方法であって、
翼の胴体寄りの領域から外側寄りの領域までの翼型を含む翼を供給することと、
翼の外側寄りの領域の翼の翼型の全体的な形状を変更することなく翼に使用されるウィングレットであって、概ね胴体の方に向く第１表面と、概ね第１表面とは反対の外側に向く第２表面とを有するウィングレットを供給することと
を含み、このウィングレットが、少なくとも、翼と、第１表面に陥没領域を有するウィングレットとの接合領域における流れの性能への影響を低減する、方法。
（態様９）
ウィングレットが、弦方向に沿って最前点と最後点とを有する凹形の陥没を含み、凹形の陥没が、幅方向に沿って、翼に最も近い近位点と、翼から最も遠い遠位点とを含む、態様８に記載の方法。
（態様１０）
最前点を、最前点と交差するウィングレットの弦長の約２０％〜約４０％に配置する、態様９に記載の方法。
（態様１１）
最後点を、最後前点と交差するウィングレットの弦長の約４５％〜約６５％に配置する、態様９に記載の方法。
（態様１２）
凹形の陥没が、既存のウィングレットロフトへの陥没を含む、態様８に記載の方法。
（態様１３）
凹形の陥没が、ウィングレットの前方領域及び後方領域に、既存のウィングレットロフトのビルトアップ領域を含む、態様８に記載の方法。
【手続補正書】
【提出日】平成24年2月17日(2012.2.17)
【手続補正１】
【補正対象書類名】特許請求の範囲
【補正対象項目名】全文
【補正方法】変更
【補正の内容】
【特許請求の範囲】
【請求項１】
少なくとも１つのクロージャ取付け特徴部を備えるガラス容器ネック口部を成形するためのネックリングであって、
各々が実質的に、耐摩耗性金属からなるネックリング挿入物（２０、２２）と、前記耐摩耗性金属と異なる熱伝導性金属からなるネックリング本体（１６、１８）と、からなる、２つの半環状ネックリング部分（１２、１４）を備えるネックリングにおいて、
各々のネックリング本体は、前記ネックリング挿入物が前記ネックリング本体に埋め込まれるよう、前記関連するネックリング挿入物のまわりに形成され、
前記ネックリング部分の各々は、ガラス接触キャビティ表面を有し、前記ガラス接触キャビティ表面は、前記少なくとも１つのクロージャ取付け特徴部を前記容器ネック口部上に成形するための前記挿入物により形成される第１表面部分（３０、３２）を備え、前記クロージャ取付け特徴部は前記第１表面部分のみによって形成され、
前記ガラス接触キャビティ表面は更に、容器ネック口部の、前記少なくとも１つのクロージャ取付け特徴部を除く部分を成形するための、前記本体により形成され且つ前記第１表面部分よりも大きい、第２表面部分（３４、３６）を備える、
ことを特徴とするネックリング。
【請求項２】
前記ネックリング挿入物（２０、２２）の各々は、前記挿入物を前記本体に固定するために、前記関連するネックリング本体に埋め込まれて固定される突出耳（２６、２８）を有する、請求項１に記載のネックリング。
【請求項３】
前記ネックリング挿入物（２０、２２）は、ニッケル、青銅、または鉄鋼からなり、前記ネックリング本体（１６、１８）は青銅または鉄鋼からなる、請求項１に記載のネックリング。
【請求項４】
前記挿入物（２０、２２）はニッケルからなり、前記ネックリング本体（１６、１８）は焼結された青銅からなる、請求項３に記載のネックリング。
【請求項５】
少なくとも１つのクロージャ取付け特徴部を含むガラス容器ネック口部を成形するためのネックリングを製造するための方法であって、
（ａ）各々が、耐摩耗性金属からなるネックリング挿入物（２０、２２）と、前記耐摩耗性金属と異なる熱伝導性金属からなるネックリング本体（１６、１８）と、から実質的になる、２つの半環状ネックリング部分（１２、１４）を提供するステップと、
（ｂ）前記ステップ（ａ）の前に、前記ネックリング挿入物（２０、２２）を別々のプリフォームとして形成するステップと、
（ｃ）前記ステップ（ａ）の間に、前記ネックリング本体（１６、１８）を前記ネックリング挿入物のプリフォームのまわりに形成し、それにより前記挿入物を前記本体に埋め込むステップと、
（ｄ）前記挿入物上に、前記少なくとも１つのクロージャ取付け特徴部を前記ネック口部上に成形するための第１のモールドキャビティ表面部分（３０、３２）を提供するステップと、
（ｅ）ネック口部の、少なくとも１つのクロージャ取付け特徴部を除く部分を成形するための第２のモールドキャビティ表面部分（３４、３６）を前記本体上に形成するステップと、
を含む、方法。
【請求項６】
前記挿入物のプリフォームは、前記ステップ（ｃ）において、前記本体に埋め込まれて固定される突出耳（２６、２８）を有するよう作られる、請求項５に記載の方法。
【請求項７】
前記挿入物（２０、２２）はニッケル、青銅、または鉄鋼から形成され、前記本体（１６、１８）は青銅または鉄鋼から形成される、請求項５または請求項６に記載の方法。
【手続補正書】
【提出日】平成23年11月11日(2011.11.11)
【手続補正１】
【補正対象書類名】特許請求の範囲
【補正対象項目名】請求項２７
【補正方法】変更
【補正の内容】
【請求項２７】
請求項２５に記載の方法であって、
前記位置決定モジュールは、ネットワークに接続され、
前記方法は、更に、
ネットワーク接続要素において、前記対象識別要素によって提供される前記データを受信することと、
前記ネットワーク接続要素から、前記データを含む信号を伝送することと、
前記位置決定モジュールにおいて、前記ネットワーク接続要素からの前記信号を受信することと、
を含む方法。
【手続補正書】
【提出日】平成24年4月6日(2012.4.6)
【手続補正１】
【補正対象書類名】特許請求の範囲
【補正対象項目名】全文
【補正方法】変更
【補正の内容】
【特許請求の範囲】
【請求項１】
貫通微細孔及び少なくとも１ｍｍの直径を備える開口を備えるフィルム層と、前記フィルム層上に配置される繊維性材料層と、を備える多層吸音シート。
【請求項２】
音反射面と、請求項１に記載の多層吸音シートであって、該多層吸音シートと前記音反射面との間に裏空隙を有して、前記音反射面の付近に配置される、多層吸音シートと、を備える吸音体。
【手続補正書】
【提出日】平成24年2月27日(2012.2.27)
【手続補正１】
【補正対象書類名】特許請求の範囲
【補正対象項目名】全文
【補正方法】変更
【補正の内容】
【特許請求の範囲】
【請求項１】
遠隔の患者から生理学的データを収集し、この生理学的データを取り出すためのシステムにおいて、
医療センサ装置とワイヤレス通信するハブであって、データリポジトリシステムおよび対話型音声応答（ＩＶＲ）システムを備えるハブと、
前記ハブの前記ＩＶＲシステムと通信する第１の電話機であって、患者はこの第１の電話機を通じて前記ＩＶＲから指示のセットを受け取る、第１の電話機と、
を備え、
前記指示のセットは、前記ユーザに、前記医療センサ装置を用いて生理学的データ・セットの収集を自身で行うように促す指示と、前記患者に、前記第１の電話機のユーザインタフェースを用いて前記指示のセット中の複数のステップの各々を確認することを要求する指示とを含むことを特徴とするシステム。
【請求項２】
前記ハブは、前記医療センサ装置にコマンドを送信するように構成され、前記コマンドは、前記医療センサ装置に、前記患者からの前記生理学的データ・セットの収集を開始または停止するように指示することを特徴とする請求項１記載のシステム。
【請求項３】
前記医療センサ装置は、前記患者から前記生理学的データ・セットを収集した後に、前記生理学的データ・セットを前記ハブに送信するように構成されることを特徴とする請求項１記載のシステム。
【請求項４】
前記生理学的データ・セットは前記ハブに格納され、
前記ハブの前記ＩＶＲシステムと通信する第２の電話機をさらに備え、関係者は、前記第２の電話機を通じて前記ＩＶＲおよび前記ハブ内の前記生理学的データ・セットにアクセスし、設定することができ、
前記ＩＶＲシステムは、前記第２の電話機を通じて前記関係者に連絡を取るように構成されることを特徴とする請求項３記載のシステム。
【請求項５】
前記ハブ及び前記医療センサ装置はユーザインタフェースを備えないことを特徴とする請求項１記載のシステム。
【請求項６】
前記ハブは、前記第１の電話を通じて前記患者が入手可能な教育的題材のセットをさらに備えることを特徴とする請求項１記載のシステム。
【請求項７】
前記ＩＶＲは、設定可能なセキュリティシステムを備えることを特徴とする請求項１記載のシステム。
【請求項８】
前記ハブは、個人緊急応答ボタン及び、全地球測位システムの受信機を備えることを特徴とする請求項１記載のシステム。
【請求項９】
遠隔の患者から生理学的データを収集し、前記生理学的データを取り出すためのシステムにおいて、
医療センサ装置とワイヤレス通信するハブと、
前記ハブとワイヤレス通信する中央サーバと、
前記ハブおよび前記中央サーバの少なくとも１つの中に配置された対話型音声応答（ＩＶＲ）システムと、
前記ＩＶＲシステムと通信する第１の電話機であって、患者がこの第１の電話機を通じて前記ＩＶＲから指示のセットを受け取る、第１の電話機とを備え、
前記指示のセットは、前記医療センサ装置を用いた生理学的データ・セットの収集を自身で行うように前記ユーザを促す指示と、前記患者が前記第１の電話機のユーザインタフェースを用いて前記指示のセット中の複数のステップ各々を確認することを要求する指示とを含むことを特徴とするシステム。
【請求項１０】
前記ハブは、前記医療センサ装置にコマンドを送信するように構成され、前記コマンドは、前記医療センサ装置に、前記患者からの前記生理学的データ・セットの収集を開始または停止するように指示することを特徴とする請求項９記載のシステム。
【請求項１１】
前記医療センサ装置は、前記患者から前記生理学的データ・セットを収集した後に、前記生理学的データ・セットを前記ハブに送信するように構成されており、
前記生理学的データ・セットは、転送され、前記サーバの前記データリポジトリシステムに格納されることを特徴とする請求項９記載のシステム。
【請求項１２】
前記サーバの前記第２のＩＶＲシステムと通信する第２の電話機をさらに備え、
関係者は、前記第２の電話機を通じて前記第２のＩＶＲおよび前記サーバ中の前記生理学的データ・セットにアクセスし、設定することができ、
前記第２のＩＶＲシステムは、前記第２の電話機を通じて前記関係者に連絡を取るように構成されることを特徴とする請求項１１記載のシステム。
【請求項１３】
前記ハブは、前記第１の電話を通じて前記患者が入手可能な教育的題材のセットをさらに備えることを特徴とする請求項９記載のシステム。
【請求項１４】
前記第２のＩＶＲは、前記生理学的データ・セットへの種々のアクセスレベルすべてに合わせて設定可能なセキュリティシステムを備えることを特徴とする請求項９記載のシステム。
【請求項１５】
前記ハブは個人緊急応答ボタン及び、全地球測位システムの受信機を備えることを特徴とする請求項９記載のシステム。
【請求項１６】
前記ＩＶＲシステムは前記ハブ内及び／又は、前記中央サーバに配置されることを特徴とする請求項１３記載のシステム。
【請求項１７】
遠隔の患者から生理学的データを収集し、前記生理学的データを取り出す方法において、
第１の電話機で、ハブの中に配置されている対話型音声応答（ＩＶＲ）システムに電話をかけるステップと、
前記第１の電話機を通じて前記ＩＶＲから指示のセットを受け取る指示セット受信ステップであって、前記指示のセットが、
ユーザに、前記ハブとワイヤレス通信可能な医療センサ装置を用いて生理学的データ・セットの収集を自身で行うように促す指示するステップと、
前記ユーザを促して、前記指示のセット中の複数のステップの各々を、前記第１の電話機のユーザインタフェースを用いて確認するように指示するステップと、
を含む指示セット受信ステップと、
前記生理学的データ・セットを、前記ハブ内に配置されたデータリポジトリシステムに格納するステップと
を含むことを特徴とする生理学データ収集取り出し方法。
【請求項１８】
前記ハブにより前記医療センサ装置にコマンドを送信するステップをさらに備え、前記コマンドは、前記患者からの前記生理学的データ・セットの収集を開始または停止するように前記医療センサ装置に指示することを特徴とする請求項１７記載の方法。
【請求項１９】
前記患者から前記生理学的データ・セットを収集した後に、前記医療センサ装置により、前記生理学的データ・セットを前記ハブに送信するステップと、
前記生理学的データ・セットを前記ハブに格納するステップと、
第２の電話機が前記ハブの前記ＩＶＲシステムと通信し、前記方法は、関係者が前記第２の電話機を通じて前記ＩＶＲおよび前記ハブ内の生理学的データ・セットにアクセスし、設定するステップと、
前記ＩＶＲシステムが前記第２の電話機を通じて前記関係者に連絡を取るステップとをさらに含むことを特徴とする請求項１８記載の方法。
【請求項２０】
前記ハブ及び、前記医療センサ装置はユーザインタフェースを備えないことを特徴とする請求項１７記載の方法。
【手続補正書】
【提出日】平成24年3月29日(2012.3.29)
【手続補正１】
【補正対象書類名】特許請求の範囲
【補正対象項目名】全文
【補正方法】変更
【補正の内容】
【特許請求の範囲】
【請求項１】
脊柱の少なくとも１つの椎骨の画像から導出されるデータを処理することによって脊柱の椎骨の将来の骨折または変形のリスクを評価する方法であって、
前記少なくとも１つの椎骨の外観を表わすデータを、脊柱の対応する部位の統計モデルと比較するステップと、
前記脊柱の前記少なくとも１つの椎骨と、前記モデルとの間の類似性の指標を導出するステップと
を含み、前記統計モデルが、後の時点における各々の脊柱の骨折または変形の程度についての情報が知られている脊柱の画像を表わすデータから形成され、前記指標が、前記脊柱が後に骨折を被る可能性または変形する可能性を表わしている、方法。
【請求項２】
前記統計モデルが、椎骨が後の時点まで骨折および／または変形がないままであるか否かが知られている骨折および変形のない脊柱の画像を表わしているデータから形成される請求項１に記載の方法。
【請求項３】
前記統計モデルが、骨折および変形がない脊柱からなり、前記後の時点まで骨折および変形がないままであるクラスと、骨折および変形がない脊柱からなり、前記後の時点までに１つ以上の骨折を被り、あるいは変形するクラスとの間の区別のために学習させられる請求項２に記載の方法。
【請求項４】
前記指標が、前記脊柱が、骨折および変形がない脊柱からなり、前記後の時点までに１つ以上の骨折を被り、あるいは変形するクラスに属する確率を表わしている請求項３に記載の方法。
【請求項５】
前記統計モデルが、該骨折および／または変形した脊柱であって、該骨折および／または変形した脊柱の椎骨が後の時点までにさらなる骨折を被るか否かおよび／またはさらに変形するか否かが知られている骨折および／または変形した脊柱の画像を表わしているデータから形成される請求項１に記載の方法。
【請求項６】
前記統計モデルが、骨折および／または変形した脊柱からなり、前記後の時点までさらなる骨折を被ることがなく、あるいはさらに変形することがないクラスと、骨折および／または変形した脊柱からなり、前記後の時点までにさらなる骨折を被り、あるいはさらに変形するクラスとの間の区別のために学習させられる請求項５に記載の方法。
【請求項７】
前記統計モデルが、前記後の時点まで骨折および変形がないままである骨折および変形のない脊柱を使用して学習させられる請求項１に記載の方法。
【請求項８】
前記指標が、前記脊柱と前記統計モデルとの間の差を表わしており、前記脊柱の骨折および変形の可能性が、前記指標が大きいほど大きい請求項７に記載の方法。
【請求項９】
前記統計モデルが、骨折および／または変形がなく、前記後の時点までに骨折を被り、あるいは変形する脊柱を使用して学習させられ、
前記指標が、前記脊柱と前記統計モデルとの間の差を表わしており、前記脊柱の骨折および／または変形の可能性は、前記指標が小さいほど大きい請求項１に記載の方法。
【請求項１０】
データの処理が、脊柱の２つ以上の隣接する椎骨の外観を表わすデータを処理することを含み、前記指標が、前記椎骨のうちの少なくとも１つの後の骨折および／または変形の可能性を表わしている請求項１〜９のいずれかに記載の方法。
【請求項１１】
前記少なくとも１つの椎骨の外観を表わすデータが、形状、画像テクスチャ、画像において視認できる皮質骨の厚さ、および画像強度のうちの１つ以上を表わすデータを含んでいる請求項１〜１０のいずれかに記載の方法。
【請求項１２】
前記少なくとも１つの椎骨の外観を表わすデータが、該少なくとも１つの椎骨の形状を表わすデータを含んでいる請求項１〜１１のいずれかに記載の方法。
【請求項１３】
前記少なくとも１つの椎骨の外観を表わすデータが、画像テクスチャ、画像において視認できる皮質骨の厚さ、および画像強度のうちの１つ以上をさらに含んでいる請求項１２に記載の方法。
【請求項１４】
前記データの前記統計モデルとの比較が、前記モデルを前記データにフィットさせることを含んでいる請求項１〜１３のいずれかに記載の方法。
【請求項１５】
脊柱の少なくとも１つの椎骨の画像を、該画像が骨折および／または変形の程度が後の時点まで変化しない脊柱の画像のクラスに属するか否かを判断すべく特徴付ける方法であって、
前記少なくとも１つの椎骨の外観を表わすデータを、脊柱の対応する部位の統計モデルと比較するステップと、
前記少なくとも１つの椎骨を表わすデータと、前記統計モデルとの間の類似性の指標を導出するステップと
を含み、前記統計モデルが、後の時点までに当該脊柱の椎骨が骨折を被るか否かまたは変形するか否かが知られている脊柱の画像を表わすデータから形成され、前記指標が、前記少なくとも１つの椎骨の画像が骨折および／または変形の程度が後の時点まで変化しない脊柱の画像のクラスに属する可能性を表わしている、方法。
【手続補正書】
【提出日】平成24年2月3日(2012.2.3)
【手続補正１】
【補正対象書類名】特許請求の範囲
【補正対象項目名】全文
【補正方法】変更
【補正の内容】
【特許請求の範囲】
【請求項１】
情報を表示し顧客の指示を受けるためのタッチスクリーンと、
キーパッドと、
店舗の商品に付着されたタグをスキャンするための無線センサと、
購入する品物に対する顧客の支払を受け入れる少なくとも１つのユーザー入力コンポーネントと、を備える、店舗において顧客とインターフェースするためのデバイスであって、
前記タッチスクリーン、前記キーパッド、前記無線センサ、前記少なくとも１つのユーザー入力コンポーネントは、取り外し可能モジュラー・コンポーネントである、デバイス。
【請求項２】
バーコード・スキャナを更に備える請求項１に記載のデバイス。
【請求項３】
ＲＦＩＤ（無線自動識別）スキャナを更に備える請求項２に記載のデバイス。
【請求項４】
無線センサは、近距離無線通信スキャナである、請求項１に記載のデバイス。
【請求項５】
前記少なくとも１つのユーザー入力コンポーネントは、磁気ストリップ・リーダである、請求項１に記載のデバイス。
【請求項６】
ローカル・エリア・ネットワーク（ＬＡＮ）にワイヤレスで接続しているデバイスのための無線接続ユニットを更に備える請求項１に記載のデバイス。
【請求項７】
ワイヤ接続によってＬＡＮに接続しているデバイスに対する有線接続ユニットを更に備える請求項１に記載のデバイス。
【請求項８】
バイオメトリクス・ユニットを更に備える請求項１に記載のデバイス。
【請求項９】
前記バイオメトリクス・ユニットが指紋スキャナである、請求項８に記載のデバイス。
【請求項１０】
バイオメトリクス・ユニットが網膜スキャナである、請求項８に記載のデバイス。
【請求項１１】
バイオメトリクス・ユニットが網膜スキャナと指紋スキャナとの両方を備える、請求項８に記載のデバイス。
【請求項１２】
前記タッチスクリーンが、顧客が店舗において欲しい品物のギフト・レジストリをつくることができるように構成される、請求項１に記載のデバイス。
【請求項１３】
前記タッチスクリーンが、前記デバイスを使用して、顧客が欲しい品物のギフト・レジストリをアクセスして、１つ以上の欲しい品物を購入することができるようにさらに構成される、請求項１２に記載のデバイス。
【請求項１４】
前記タッチスクリーンは、顧客が処方箋により処方してもらうように構成される、請求項１１に記載のデバイス。
【請求項１５】
前記タッチスクリーンが、顧客が、前記処方がピックアップの準備ができている場合に、通知する方法を提出することができるように、さらに構成される、請求項１４に記載のデバイス。
【請求項１６】
店舗において顧客とインターフェースするための携帯デバイスであって、
情報を表示し顧客の指示を受けるためのタッチスクリーンと、
キーパッドと、
店舗の商品に付着されたタグをスキャンするための無線センサと、
前記店舗のコンピュータ・ネットワークに前記携帯デバイスを無線で接続するための無線接続ユニットと、
購入する品物に対する顧客の支払を受け入れる少なくとも１つのユーザー入力コンポーネントと、を備え、
前記タッチスクリーン、前記キーパッド、前記無線センサ、前記少なくとも１つのユーザー入力コンポーネントは、取り外し可能モジュラー・コンポーネントである、携帯デバイス。
【請求項１７】
バーコード・スキャナを更に備える請求項１６に記載の携帯デバイスであって、前記無線センサは、ＲＦＩＤ（無線自動識別）スキャナ、および、近距離無線通信スキャナの１つ以上を備える、携帯デバイス。
【請求項１８】
前記少なくとも１つのユーザー入力コンポーネントは、磁気ストリップ・リーダである、請求項１６に記載の携帯デバイス。
【請求項１９】
顧客とのインターフェースのために顧客インターフェース・デバイスを提供するステップであって、
該顧客インターフェース・デバイスは、情報を表示し顧客の指示を受けるためのタッチスクリーンと、
キーパッドと、
指紋スキャナ及び網膜スキャナの１つ以上を備えるバイオメトリクス・ユニットと、
近距離無線通信（ＮＦＣ）またはラジオ周波数識別子（ＲＦＩＤ）通信を使用して、店舗の商品に付着されたタグをスキャンするための無線センサと、
磁気ストリップを有するカードをスワイプするための磁気ストリップ・リーダと、を備え、
前記タッチスクリーン、前記キーパッド、前記無線センサ、及び、前記磁気ストリップ・リーダは取り外し可能モジュラー・コンポーネントである、ステップと、
顧客入力に応じて、１つ以上の顧客ショッピング・サービスを提供するために顧客インターフェース・デバイスを使用するステップと、を含む、店舗において顧客サービスを提供する方法。
【請求項２０】
前記１つ以上の顧客ショッピング・サービスは、前記店舗内の品物の価格をチェックすることと、
品物があった場所で該品物の支払いを済ませることと、
格納された顧客プロフィールにアクセスすることと、
待つ必要があるサービスに対して通知方法を格納することと、
格納された顧客プロフィールに関する支払オプションを選ぶことと、
ギフト・レジストリをつくることと、
既存のギフト・レジストリにリストされた欲しい品物を購入するために該既存のギフト・レジストリにアクセスすることと、の１つ以上を含む、請求項１９に記載の方法。
【手続補正書】
【提出日】平成24年4月16日(2012.4.16)
【手続補正１】
【補正対象書類名】特許請求の範囲
【補正対象項目名】全文
【補正方法】変更
【補正の内容】
【特許請求の範囲】
【請求項１】
ソリッドモデルにおける面を分割する方法において、
該方法は、コンピュータにつぎのステップ、すなわち、
ｉ） コンピュータ周辺入力装置（３２５）からデータ読み出すことによって、ソリッドモデル（７００）における面（７１５）の選択点（７２０）を直接選択するステップと、
ii） 当該選択点（７２０）によって決定される選択面（７１５）に隣接する複数の隣接面（Ｆ１，Ｆ２；Ｆ３，Ｆ４，Ｆ５，Ｆ６，Ｆ７，Ｆ８）を距離によってソートするステップと、
iii）  前記複数の隣接面（Ｆ１，Ｆ２；Ｆ３，Ｆ４，Ｆ５，Ｆ６，Ｆ７，Ｆ８）が前記選択面（７１５）に対して凸であるという凸条件が存在する否かを決定するステップと、
iv）  前記複数の隣接面と、前に対象とした面とが同じ面（Ｆ１，Ｆ２）を共有しかつ前記凸条件が存在する場合に曲線の候補があるか否かを決定するステップと、
v）  前記ソリッドモデル（７００）にて当該曲線の候補にマークを付して、ユーザからの修正意図（２００）にしたがった修正のために当該ソリッドモデル（７００）を準備するステップと、
vi）  前記修正意図（２００）にしたがってソリッドモデル（７００）を修正することにより、修正されたソリッドモデル（７００）および修正された視覚表示情報を形成するステップと、
vii）  当該修正された視覚表示情報を使用して、修正されたソリッドモデルをユーザに表示するステップとを実行させることを特徴とする、
ソリッドモデルにおける面を分割する方法。
【請求項２】
前記ステップiii）は再帰的処理を介して実行される、
請求項１に記載の方法。
【請求項３】
さらに、視覚表示データを有するソリッドモデルデータファイル（６１０）をソリッドモデルモデリングアプリケーションに読み込む、
請求項１または２に記載の方法。
【請求項４】
さらに、前記修正されたソリッドモデルを計算処理してソリッドモデルデータファイルに保存する、
請求項１から３までのいずれか１項に記載の方法。
【請求項５】
ソリッドモデルへの修正を選択するための方法をコンピュータに実行させるコンピュータプログラムにおいて、
前記方法は、
ロジック処理モジュール、表示処理モジュールおよび方法処理モジュールを含むシステムを提供するステップと、
コンピュータ周辺入力装置の入力を使用して修正フィーチャの選択点を直接選択するステップとを有しており、ただし当該選択は、前記ロジック処理モジュールによる呼び出しに対する応答として方法処理モジュールによって実行され、
前記方法はさらに
前記選択点によって決定される前記選択面に隣接する複数の隣接面を距離によってソートするステップを有しており、ただし当該ソートは、前記ロジック処理モジュールによる呼び出しに対する応答として方法処理モジュールによって実行され、
前記方法はさらに
前記複数の隣接面が選択面に対して凸であるという凸条件が存在する否かを決定するステップを有しており、ただし当該決定は、前記のロジック処理モジュールによる呼び出しに対する応答として方法処理モジュールによって実行され、
前記方法はさらに
前記複数の隣接面が前に処理した面と同じ面を共有しかつ前記の凸条件を満たす曲線の候補が存在するか否かを決定するステップを有しており、ただし当該決定は、前記ロジック処理モジュールによる呼び出しに対する応答として方法処理モジュールによって実行され、
前記方法はさらに
前記ソリッドモデルにて当該曲線候補にマークを付けて、ユーザからの修正意図にしたがった修正のために当該のソリッドモデルを準備するステップを有しており、ただし当該マーク付けは、前記ロジック処理モジュールによる呼び出しに対する応答として方法処理モジュールによって実行され、
前記方法はさらに
前記修正意図にしたがってソリッドモデルを修正して、修正されたソリッドモデルおよび修正された視覚表示情報を形成するステップを有しており、ただし当該修正は、前記ロジック処理モジュールによる呼び出しに対する応答として方法処理モジュールによって実行され、
前記方法はさらに
前記表示処理モジュールにより、修正処理モジュールからの修正された視覚表示情報を使用して、前記の修正されたソリッドモデルをユーザに表示するステップを有することを特徴とする、
ソリッドモデルへの修正を選択するための方法をコンピュータに実行させるコンピュータプログラム。
【請求項６】
さらに前記のシステムにデータファイル処理モジュールが設けられている、
請求項５に記載のコンピュータプログラム。
【請求項７】
さらに、視覚表示データを有するソリッドモデルデータファイルを前記ソリッドモデルモデリングアプリケーションに読み込み、
ただし当該読み込みは、ロジック処理モジュールによる呼び出しに応じてデータファイル処理モジュールによって実行される、
請求項６に記載のコンピュータプログラム。
【請求項８】
さらにロジック処理モジュールによる呼び出しに応じて、データファイル処理モジュールにより、前記修正したソリッドモデルを計算してソリッドモデルデータファイルに入力する、
請求項６に記載のコンピュータプログラム。
【請求項９】
設計のためのソフトウェア命令を有するコンピュータにて操作されるソリッドモデル表現に対する修正を選択するためのシステムにおいて、
該システムは、記憶装置、プロセッサ、ユーザ入力装置および表示装置を含むコンピュータシステムと、
当該のコンピュータシステムの記憶装置のメモリに記憶されておりかつコンピュータで生成されたジオメトリックモデルと、
前記のコンピュータシステムにより、視覚表示データを有するソリッドモデルデータファイルが、ソリッドモデルモデリングアプリケーションに読み込まれ、
前記のソリッドモデルデータファイルから抽出した前記の視覚表示情報から計算されたソリッドモデルが表示され、
ユーザからの修正意図を伝達するコンピュータ周辺入力装置の入力が使用されてソリッドモデルにて修正フィーチャが直接選択され、
当該の修正フィーチャが含まれる付加的な複数の選択フィーチャが提案され、
視覚的に強調することにより、当該の修正フィーチャが含まれる付加的な複数の選択フィーチャと、前記の修正意図とが一致することがチェックされ、
当該の修正意図にしたがって前記のソリッドモデルが修正されて、修正されたソリッドモデルおよび修正された視覚表示情報が形成され、
当該の修正された視覚表示情報が使用されて、前記の修正ソリッドモデルがユーザに表示されることを特徴とする、
設計のためのソフトウェア命令を有するコンピュータにて操作されるソリッドモデル表現に対する修正を選択するためのシステム。